(57)【要約】【課題】本発明は、簡単な構成で、軸受支持部に対するすべり軸受の回り止めおよび抜け止めを確実に行うことができる魚釣用リールを得ることにある。【解決手段】魚釣用リール1は、軸受支持部15,17を有するリール本体2と、リール本体2の軸受支持部15,17に嵌合された円筒状のすべり軸受23,24と、すべり軸受23,24を介してリール本体2に回転自在に支持された回転軸21と、を備えている。すべり軸受23,24および軸受支持部15,17のいずれか一方に、他方に引っ掛かることですべり軸受23,24と軸受支持部15,17との相対的な回転を阻止する第１の係止部34a,34b,91を設けるとともに、すべり軸受23,24および軸受支持部15,17の他方に、第１の係止部34a,34b,91に引っ掛かることで回転軸21の軸方向へのすべり軸受23,24と軸受支持部15,17との相対的な移動を阻止する第２の係止部41,93を設けている。【選択図】      図２
2008011812.tif 000002
【特許請求の範囲】
【請求項１】
軸受支持部を有するリール本体と、
上記リール本体の軸受支持部に嵌合された円筒状のすべり軸受と、
上記すべり軸受を介して上記リール本体に回転自在に支持された回転軸と、を具備する魚釣用リールであって、
上記すべり軸受および上記軸受支持部のいずれか一方に、他方に引っ掛かることで上記すべり軸受と上記軸受支持部との相対的な回転を阻止する第１の係止部を設けるとともに、上記すべり軸受および上記軸受支持部の他方に、上記第１の係止部に引っ掛かることで上記回転軸の軸方向への上記すべり軸受と上記軸受支持部との相対的な移動を阻止する第２の係止部を設けたことを特徴とする魚釣用リール。
【請求項２】
請求項１の記載において、上記第１の係止部は、上記すべり軸受の外周面から径方向に突出する凸部を有し、上記軸受支持部は、上記すべり軸受の外周面が接する内周面を有する嵌合部を含み、この嵌合部の内周面に上記凸部が嵌合する凹部が形成されていることを特徴とする魚釣用リール。
【請求項３】
請求項２の記載において、上記すべり軸受は、上記回転軸の軸方向に沿って上記軸受支持部の嵌合部に圧入されるとともに、上記第２の係止部は、上記すべり軸受が上記嵌合部に圧入された時に、上記すべり軸受の圧入方向とは反対側から上記凸部に引っ掛かることを特徴とする魚釣用リール。
【請求項４】
請求項２の記載において、上記嵌合部は、上記すべり軸受が突き当たる終端面を有し、上記第２の係止部は、上記嵌合部の終端面から上記すべり軸受の圧入方向とは反対側に進むに従い上記すべり軸受の凸部に近づくように傾斜するストッパ面を有することを特徴とする魚釣用リール。
【請求項５】
請求項１の記載において、上記軸受支持部は、上記すべり軸受の外周面が接する内周面を有する嵌合部を含み、上記第１の係止部は、上記嵌合部の内周面から突出する凸部を有し、上記すべり軸受の外周面に上記凸部が嵌合する凹部が形成されていることを特徴とする魚釣用リール。
【請求項６】
請求項５の記載において、上記すべり軸受は、上記回転軸の軸方向に沿って上記軸受支持部に圧入されるとともに、上記第２の係止部は、上記すべり軸受の外周面に形成されて、上記すべり軸受が上記軸受支持部に圧入された時に、上記すべり軸受の圧入方向とは反対側から上記凸部に引っ掛かることを特徴とする魚釣用リール。
【発明の詳細な説明】
【技術分野】
【０００１】
本発明は、例えばハンドルの巻き取り操作に追従して回転する回転軸を、円筒状のすべり軸受を介してリール本体に回転自在に支持する魚釣用リールに係り、特にすべり軸受をリール本体の軸受支持部に組み込む構造に関する。
【背景技術】
【０００２】
例えば魚釣用スピニングリールは、ハンドルの巻き取り操作に追従して回転する駆動軸を備えている。駆動軸は、軸受を介してリール本体に回転自在に支持されている。駆動軸用の軸受としては、一般的にボール軸受が用いられるが、コスト的な要求が厳しい低価格帯の魚釣用スピニングリールでは、ボール軸受に代わって円筒状のすべり軸受を用いることが多い。
【０００３】
この種のすべり軸受は、リール本体の軸受支持部に圧入されており、このすべり軸受の内周面に駆動軸の外周面がすべり接触している。
【０００４】
ところで、すべり軸受を用いた魚釣用スピニングリールでは、使用期間の経過に伴い、すべり軸受が駆動軸に追従して連れ回ることがあり得る。このような状況に陥ると、軸受支持部とすべり軸受とが互いに擦れ合うので、すべり軸受が早期のうちに摩耗して、軸受本来の機能が損なわれてしまう。
【０００５】
このことから、例えば特許文献１および特許文献２に開示された魚釣用スピニングリールでは、すべり軸受の外周面に径方向に突出する複数の凸部を形成するとともに、軸受支持部の内周面に凸部に対応する複数の凹部を形成している。凸部と凹部とは、互いに噛み合うことですべり軸受の回り止めとして機能しており、これにより、すべり軸受が駆動軸に追従して連れ回るのを防いでいる。
【特許文献１】実開昭５９−１６１９６９号公報
【特許文献２】特開２００４−２９８０１２号公報
【発明の開示】
【発明が解決しようとする課題】
【０００６】
特許文献１に開示された構成によると、凸部と凹部との噛み合いによりすべり軸受の回り止めがなされるものの、駆動軸の軸方向に対するすべり軸受の移動を阻止することができない。このため、例えば釣糸を巻き取る時に、すべり軸受をこじるような不規則な力が駆動軸からすべり軸受に加わった時に、すべり軸受が軸受支持部から抜け出てしまうことがあり得る。
【０００７】
さらに、魚釣用スピニングリールの組み立て時や搬送時に、すべり軸受と軸受支持部との圧入部分に駆動軸の軸方向に沿う振動や荷重が加わると、すべり軸受が緩んで軸受支持部から脱落することがある。このため、魚釣用スピニングリールの製造時の取り扱いが面倒となるといった不具合がある。
【０００８】
一方、特許文献２に開示された魚釣用スピニングリールでは、凸部の側面に圧入変形部が形成されている。圧入変形部は、凸部の側面から突出しており、凸部を凹部に嵌め込んだ時に凹部の側壁に押されて弾性変形する。
【０００９】
このため、圧入変形部と凹部の側壁との当接部分に係合圧力が作用し、この係合圧力の存在により、すべり軸受が駆動軸の軸方向に動き難くなる。
【００１０】
しかしながら、特許文献２の圧入変形部は、凹部の側壁に単に圧接しているに止まっている。このような構成では、魚釣用スピニングリールを長期に亘って使用した時に、圧入変形部が摩耗するのを避けられず、圧入変形部と凹部の側壁との当接部分に生じる係合圧力が低下することがあり得る。
【００１１】
この結果、すべり軸受をこじるような不規則な力が駆動軸からすべり軸受に加わった時に、この力が上記係合圧力に打ち勝つことを否めない。したがって、軸受支持部に対するすべり軸受の抜け止め機能を長期に亘って維持することが困難となり、この点において今一歩改善の余地が残されている。
【００１２】
本発明の目的は、簡単な構成で、軸受支持部に対するすべり軸受の回り止めおよび抜け止めを確実に行うことができ、すべり軸受を長期に亘り安定して支持できる魚釣用リールを得ることにある。
【課題を解決するための手段】
【００１３】
上記目的を達成するため、本発明の一つの形態に係る魚釣用リールは、  
軸受支持部を有するリール本体と、  
上記リール本体の軸受支持部に嵌合された円筒状のすべり軸受と、  
上記すべり軸受を介して上記リール本体に回転自在に支持された回転軸と、を備えており、  
上記すべり軸受および上記軸受支持部のいずれか一方に、他方に引っ掛かることで上記すべり軸受と上記軸受支持部との相対的な回転を阻止する第１の係止部を設けるとともに、上記すべり軸受および上記軸受支持部の他方に、上記第１の係止部に引っ掛かることで上記回転軸の軸方向への上記すべり軸受と上記軸受支持部との相対的な移動を阻止する第２の係止部を設けたことを特徴としている。
【発明の効果】
【００１４】
本発明によれば、すべり軸受を上記軸受支持部に嵌合するだけの簡単な構造で、すべり軸受と回転軸との相対的な回転を確実に防止できるとともに、すべり軸受が軸受支持部から抜け出るのを確実に防止できる。
【００１５】
したがって、すべり軸受を軸受支持部にしっかりと保持することができ、回転軸を長期に亘って安定して支持できるとともに、魚釣用リールの組み立て時の取り扱いも容易となる。
【発明を実施するための最良の形態】
【００１６】
以下本発明の第１の実施の形態を、図１ないし図８に基づいて説明する。
【００１７】
図１は、魚釣用スピニングリール１を開示している。魚釣用スピニングリール１は、例えばマグネシウム合金あるいはアルミニウム合金のような金属製のリール本体２を備えている。リール本体２は、上向きに延びる図示しない脚部を介して釣竿のリールシートに固定される。
【００１８】
リール本体２は、脚部と一体化されたケース３と、このケース３の左側面にねじ止めされたサイドカバー４とを備えている。ケース３およびサイドカバー４は、互いに協働してリール本体２の内部に歯車室５を形成している。
【００１９】
ケース３の前端部にボール軸受６を介して回転軸筒７が回転自在に支持されている。回転軸筒７は、リール本体２の前後方向に延びるとともに、その前半部がケース３の前端部から突出している。回転軸筒７の前端部にロータ８が同軸状に固定されている。
【００２０】
回転軸筒７は、ピニオンギヤ１０を有している。ピニオンギヤ１０は、歯車室５の前端部に露出している。さらに、回転軸筒７の内側にスプール軸１１が同軸状に挿通されている。スプール軸１１は、軸方向に直線的に往復動可能にケース３に支持されている。
【００２１】
スプール軸１１の前部は、ロータ８の前方に突出している。スプール軸１１の前部に釣糸を巻き付けるスプール１２が固定されている。スプール１２は、スプール軸１１と一緒に軸方向に往復動可能となっている。
【００２２】
ロータ８は、一対のアーム１３ａ，１３ｂを有している。アーム１３ａ，１３ｂは、ロータ８からリール本体２の前方に向けて突出しており、これらアーム１３ａ，１３ｂの先端部の間に釣糸案内装置１４が取り付けられている。
【００２３】
図１および図２に示すように、ケース３の右側面に第１の軸受支持部１５が一体に形成されている。第１の軸受支持部１５は、ケース３の右側面からリール本体２の右側に突出する中空の円筒状をなしている。第１の軸受支持部１５は、ケース３に開けた通孔１６を介して歯車室５に連通するとともに、その突出端がリール本体２の右側に向けて開口している。
【００２４】
リール本体２のサイドカバー４は、リール本体２の左側面を構成している。このサイドカバー４に第２の軸受支持部１７が一体に形成されている。図１および図３に示すように、第２の軸受支持部１７は、サイドカバー４からリール本体２の左側に突出する中空の円筒状をなしている。第２の軸受支持部１７は、サイドカバー４に開けた通孔１８を介して歯車室５に連通するとともに、その突出端がリール本体２の左側に向けて開口している。第１の軸受支持部１５と第２の軸受支持部１７とは、歯車室５を間に挟んで互いに同軸状に向かい合っている。
【００２５】
第２の軸受支持部１７の開口端は、取り外し可能なキャップ１９で塞がれている。キャップ１９は、第２の軸受支持部１７の開口端ばかりでなく、第１の軸受支持部１５の開口端を塞ぐこともできる。
【００２６】
図１に示すように、リール本体２の歯車室５に駆動軸２１が収容されている。駆動軸２１は、回転軸の一例であって、その軸線上に六角孔２２を有する中空の円筒状をなしている。駆動軸２１は、リール本体２の第１の軸受支持部１５と第２の軸受支持部１７との間に跨っており、スプール軸１１と直交するようにリール本体２の幅方向に延びている。
【００２７】
駆動軸２１の一端部は、第１のすべり軸受２３を介して第１の軸受支持部１５に回転自在に支持されている。駆動軸２１の他端部は、第２のすべり軸受２４を介して第２の軸受支持部１７に回転自在に支持されている。第１および第２のすべり軸受２３，２４は、例えばポリアセタールのような合成樹脂材料により一体成形されている。
【００２８】
駆動軸２１は、上記ピニオンギヤ１０の後方に位置している。駆動軸２１の軸上にロータ駆動歯車２５が一体に形成されている。ロータ駆動歯車２５は、ピニオンギヤ１０と噛み合っている。
【００２９】
図１に示すように、駆動軸２１の六角孔２２の内側にハンドル軸２７が同軸状に挿通されている。ハンドル軸２７は、六角形の断面形状を有している。ハンドル軸２７は、六角孔２２の内面と噛み合うとともに、固定ねじ２８を介して駆動軸２１に抜け止め保持されている。このため、ハンドル軸２７は、駆動軸２１と一体化されて、この駆動軸２１およびロータ駆動歯車２５と一緒に回転する。
【００３０】
ハンドル軸２７の右端部は、駆動軸２１を貫通して第１の軸受支持部１５の開口端に位置している。ハンドル軸２７の右端部にハンドル２９が連結されている。ハンドル２９は、リール本体２の右側方に露出している。
【００３１】
釣人がハンドル２９を手で回すと、ハンドル軸２７および駆動軸２１を介してロータ駆動歯車２５が回転する。ロータ駆動歯車２５は、回転軸筒７のピニオンギヤ１０と噛み合っているので、ピニオンギヤ１０を介して回転軸筒７を回転させる。これにより、ロータスリーブ９に固定されたロータ８が釣糸を巻き取る方向に回転する。
【００３２】
さらに、ハンドル軸２７の回転運動は、図示しないオシレート機構により往復直線運動に変換された後、スプール軸１１からスプール１２に伝えられる。
【００３３】
ところで、第１のすべり軸受２３は、第１の軸受支持部１５に対し駆動軸２１の軸回り方向に回転不能であり、かつ駆動軸２１の軸方向に移動不能に組み込まれている。同様に、第２のすべり軸受２４は、第２の軸受支持部１７に対し駆動軸２１の軸回り方向に回転不能であり、かつ駆動軸２１の軸方向に移動不能に組み込まれている。
【００３４】
これら第１および第２のすべり軸受２３，２４の組み込み構造は互いに共通となっている。このため、第１の実施の形態では、第１の軸受支持部１５に対する第１のすべり軸受２３の組み込み構造を代表して説明し、第２の軸受支持部１７に対する第２のすべり軸受２４の組み込み構造については、同一の参照符号を付してその説明を省略する。
【００３５】
図１、図４および図７に示すように、第１のすべり軸受２３は、中空円筒状の本体３１を有している。本体３１は、内周面３２と外周面３３とを含んでいる。内周面３２は、駆動軸２１が軸回り方向にすべり接触する軸受面となっている。本体３１の外周面３３に一対の凸部３４ａ，３４ｂが形成されている。凸部３４ａ，３４ｂは、第１の係止部の一例であって、本体３１の径方向に互いに向かい合う位置から本体３１の径方向外側に向けて突出している。
【００３６】
図８に示すように、各凸部３４ａ，３４ｂは、第１のすべり軸受２３を軸方向に沿って切断した時の断面が円弧状をなしている。言い換えると、第１のすべり軸受２３は、その軸方向に沿って第１の軸受支持部１５に圧入されるので、この第１のすべり軸受２３を圧入方向に沿って見た時に、凸部３４ａ，３４ｂの外周面は、円弧状に湾曲している。
【００３７】
図４および図６に示すように、第１のすべり軸受２３が組み込まれる第１の軸受支持部１５は、第１のすべり軸受２３が圧入される円筒状の嵌合部３６を有している。嵌合部３６は、第１の軸受支持部１５の終端に位置するとともに、第１の軸受支持部１５の内周面に連続している。
【００３８】
嵌合部３６は、第１のすべり軸受２３の本体３１が突き当たる終端面３７と、本体３１の外周面３３が接触する内周面３８とを含み、終端面３７に上記通孔１６が形成されている。嵌合部３６の内周面３８に一対の凹部３９ａ，３９ｂが形成されている。凹部３９ａ，３９ｂは、嵌合部３６の全長に亘って延びる溝状をなすとともに、嵌合部３６の径方向に互いに向かい合っている。
【００３９】
図６に示すように、凹部３９ａ，３９ｂは、夫々一対の側面４０ａ，４０ｂと、ストッパ面４１とを有している。側面４０ａ，４０ｂは、嵌合部３６の周方向に離間するとともに、駆動軸２１の軸方向に沿って互いに平行に延びている。ストッパ面４１は、第２の係止部の一例であって、側面４０ａ，４０ｂの間に跨っている。
【００４０】
ストッパ面４１は、嵌合部３６の終端面３７から第１の軸受支持部１５の圧入方向とは反対側に進むに従い、第１のすべり軸受２３の凸部３４ａ，３４ｂに近づくように嵌合部３６の径方向内側に向けて傾斜している。ストッパ面４１の第１の軸受支持部１５の開口端側の端部は、嵌合部３６の内周面３８に連続している。第１の実施の形態によると、嵌合部３６の内径Ｄ１は、上記凸部３４ａ，３４ｂを含む第１のすべり軸受２３の外径Ｄ２よりも小さくなっている。
【００４１】
図４に示すように、第１のすべり軸受２３は、第１の軸受支持部１５の開口端から嵌合部３６に圧入される。この時、凸部３４ａ，３４ｂを含む第１のすべり軸受２３の外径Ｄ２は、嵌合部３６の内径Ｄ１よりも大きいので、凸部３４ａ，３４ｂは、第１の軸受支持部１５の内周面に押されて弾性的に変形しつつ嵌合部３６に導かれる。
【００４２】
凸部３４ａ，３４ｂは、第１のすべり軸受２３の本体３１が嵌合部３６に達した時に、凹部３９ａ，３９ｂに入り込む。第１のすべり軸受２３の本体３１は、終端面３７に突き当たるまで嵌合部３６に押し込まれる。
【００４３】
本体３１が終端面３７に突き当たった状態では、凸部３４ａ，３４ｂが凹部３９ａ，３９ｂの側面４０ａ，４０ｂの間で本体３１の周方向に沿って挟み込まれる。これにより、凸部３４ａ，３４ｂが凹部３９ａ，３９ｂに引っ掛かり、第１の軸受支持部１５と第１のすべり軸受２３との相対的な回転が阻止される。
【００４４】
言い換えると、第１のすべり軸受２３は、嵌合部３６の周方向への回り止めがなされた状態で第１の軸受支持部１５に組み込まれる。
【００４５】
一方、凹部３９ａ，３９ｂのストッパ面４１は、終端面３７から第１の軸受支持部１５の圧入方向とは反対側に進むに従い嵌合部３６の内周面３８に近づく方向に傾斜している。そのため、本体３１が終端面３７に突き当たった状態では、凸部３９ａ，３９ｂの先端がストッパ面４１に接触もしくは非接触の状態に保たれる。
【００４６】
この結果、例えば魚釣用スピニングリール１の組み立て時あるいは搬送時において、第１のすべり軸受２３を終端面３７から遠ざかる方向に押し出そうとするスラスト力が第１のすべり軸受２３に加わった場合には、凸部３４ａ，３４ｂの先端がストッパ面４１に食い込む。
【００４７】
これにより、凸部３４ａ，３４ｂがストッパ面４１に引っ掛かり、駆動軸２１の軸方向に沿う第１の軸受支持部１５と第１のすべり軸受２３との相対的な移動が阻止される。つまり、第１のすべり軸受２３は、駆動軸２１の軸方向への抜け止めがなされた状態で第１の軸受支持部１５に組み込まれる。
【００４８】
このような本発明の第１の実施の形態によると、第１のすべり軸受２３を第１の軸受支持部１５の嵌合部３６に圧入する際に、第１のすべり軸受２３の凸部３４ａ，３４ｂを嵌合部３６の凹部３９ａ，３９ｂに引っ掛けるだけの簡単な構成で、第１のすべり軸受２３の回り止めと抜け止めを実現できる。
【００４９】
したがって、ハンドル軸２７に追従して回転する駆動軸２１から第１のすべり軸受２３に周方向および軸方向に沿う力が加わっても、第１のすべり軸受２３を第１の軸受支持部１５にしっかりと保持することができる。よって、駆動軸２１を長期に亘って安定して支持することができ、駆動軸２１の回転が滑らかとなるとともに、魚釣用スピニングリール１の組み立て時の取り扱いが容易となる。
【００５０】
さらに、上記第１の実施の形態によると、第１のすべり軸受２３の凸部３４ａ，３４ｂは、第１の軸受支持部１５に対する圧入方向に沿う断面形状が角を持たない円弧状をなしている。そのため、第１のすべり軸受２３を第１の軸受支持部１５の内側に圧入する時に、凸部３４ａ，３４ｂが第１の軸受支持部１５の開口端に引っ掛かり難くなるとともに、凸部３４ａ，３４ｂの先端とストッパ面４１との接触範囲が狭くなる。
【００５１】
この結果、第１のすべり軸受２３が凸部３４ａ，３４ｂを有するにも拘らず、第１のすべり軸受２３を第１の軸受支持部１５の嵌合部３６に無理なく圧入することができる。したがって、魚釣用スピニングリール１の組み立て作業を容易に行なうことができる。
【００５２】
本発明は、上記第１の実施の形態に特定されるものではなく、発明の主旨を逸脱しない範囲内で種々変更して実施可能である。
【００５３】
例えば、上記第１の実施の形態では、第１のすべり軸受２３の圧入方向に沿う凸部３４ａ，３４ｂの断面形状を円弧状に形成したが、本発明はこれに限定されない。図９は、本発明の第２の実施の形態に係る凸部５１を開示している。この凸部５１は、第１のすべり軸受２３の圧入方向に沿う断面形状が三角形状をなしている。
【００５４】
すなわち、凸部５１は、第１のすべり軸受２３の圧入方向に沿って本体３１の外周面３３に近づく方向に傾斜する傾斜面５２を有している。この傾斜面５２の存在により、本体３１の外周面３３からの凸部５１の突出高さＨは、第１のすべり軸受２３の圧入方向に沿って徐々に減少している。
【００５５】
このような構成によると、第１のすべり軸受２３を第１の軸受支持部１５の開口端に圧入した時に、凸部５１の傾斜面５２が第１の軸受支持部１５の開口端縁に接触する。そのため、凸部５１が第１の軸受支持部１５に引っ掛かり難くなり、第１の軸受支持部１５に対する第１のすべり軸受２３の圧入作業を無理なく行うことができる。
【００５６】
図１０は、本発明の第３の実施の形態を開示している。
【００５７】
この第３の実施の形態は、第１の軸受支持部１５の凹部３９ａ，３９ｂの構成が上記第１の実施の形態と相違しており、それ以外の魚釣用スピニングリール１の構成は、基本的に上記第１の実施の形態と同様である。
【００５８】
図１０は、第１の軸受支持部１５の一方の凹部３９ａと第１のすべり軸受２３との関係を開示している。凹部３９ａは、嵌合部３６の全長に亘って延びる溝状をなしている。凹部３９ａのストッパ面４１は、第１のすべり軸受２３の圧入方向とは反対側に進むに従い嵌合部３６の径方向内側に向けて傾斜している。ストッパ面４１の傾斜角度αは、第１の実施の形態よりも大きくなっている。
【００５９】
ストッパ面４１の一端に、係止突起６１が形成されている。係止突起６１は、第２の係止部の一例であって、ストッパ面４１の一端から第１のすべり軸受２３の外周面３３に向けて突出する三角形状をなしている。係止突起６１は、第１のすべり軸受２３が終端面３７に突き当たるまで嵌合部３６に押し込まれた時に、第１のすべり軸受２３の凸部３４ａよりも第１の軸受支持部１５の開口端の方向にずれている。係止突起６１の先端は、第１のすべり軸受２３の外周面３３に接している。
【００６０】
このような構成によると、第１のすべり軸受２３を終端面３７から遠ざかる方向に押し出そうとするスラスト力が第１のすべり軸受２３に加わった場合、係止突起６１がが第１のすべり軸受２３の圧入方向と反対側から凸部３４ａに引っ掛かり、駆動軸２１の軸方向に沿う第１の軸受支持部１５と第１のすべり軸受２３との相対的な移動を阻止する。これにより、第１のすべり軸受２３を、駆動軸２１の軸方向への抜け止めがなされた状態で第１の軸受支持部１５に組み込むことができ、上記第１の実施の形態と同様の効果を得ることができる。
【００６１】
図１１は、本発明の第４の実施の形態を開示している。
【００６２】
この第４の実施の形態は、主に第１の軸受支持部１５の凹部３９ａ，３９ｂの構成が上記第１の実施の形態と相違しており、それ以外の魚釣用スピニングリール１の構成は、基本的に上記第１の実施の形態と同様である。
【００６３】
図１１は、第１の軸受支持部１５の一方の凹部３９ａと第１のすべり軸受２３との関係を開示している。凹部３９ａは、嵌合部３６の内周面３８上において、終端面３７とは反対側の端部に位置している。凹部３９ａは、係止面７１と係止突起７２とを有している。係止面７１は、第１のすべり軸受２３の圧入方向に沿う終端に位置するとともに、この圧入方向と直交する方向に起立している。
【００６４】
係止突起７２は、第２の係止部の一例であって、凹部３９ａの係止面７１とは反対側の端部に位置するとともに、第１のすべり軸受２３の外周面３３に向けて突出する三角形状をなしている。
【００６５】
第１のすべり軸受２３を終端面３７に突き当たるまで嵌合部３６に押し込んだ状態では、第１のすべり軸受２３の凸部３４ａが凹部３９ａの係止面７１に突き当たるとともに、係止突起７２が凸部３４ａを間に挟んで係止面７１と向かい合っている。係止突起７２の先端は、第１のすべり軸受２３の外周面３３に接している。
【００６６】
さらに、第４の実施の形態では、第１のすべり軸受２３の本体３１にリング状のスリット７３が形成されている。スリット７３は、本体３１に同軸状に形成されて、第１のすべり軸受２３の圧入方向に沿う後端側に位置する本体３１の端面３１ａに開口している。
【００６７】
スリット７３は、凸部３４ａよりも本体３１の径方向に沿う内側に位置している。これにより、凸部３４ａを有する本体３１の外周部分３１ｂが本体３１の端面３１ａから切り離されて、本体３１の径方向に弾性変形が可能となっている。
【００６８】
そのため、第１のすべり軸受２３を嵌合部３６に圧入する時に、凸部３４ａが係止突起７２に突き当たると、凸部３４ａが係止突起７２に押されて本体３１の外周部分３１ｂが本体３１の径方向内側に向けて弾性変形する。この結果、第１のすべり軸受２３の圧入時に、突起３４ａが係止突起７２を容易に乗り越すことができ、第１のすべり軸受２３の圧入作業が容易となる。
【００６９】
このような構成によると、第１のすべり軸受２３を終端面３７から遠ざかる方向に押し出そうとするスラスト力が第１のすべり軸受２３に加わった場合、係止突起７２が第１のすべり軸受２３の圧入方向と反対側から凸部３４ａに引っ掛かり、駆動軸２１の軸方向に沿う第１の軸受支持部１５と第１のすべり軸受２３との相対的な移動を阻止する。
【００７０】
これにより、第１のすべり軸受２３を、駆動軸２１の軸方向への抜け止めがなされた状態で第１の軸受支持部１５に組み込むことができ、上記第１の実施の形態と同様の効果を得ることができる。
【００７１】
図１２は、本発明の第５の実施の形態を開示している。
【００７２】
この第５の実施の形態は、第１のすべり軸受２３をリール本体２の歯車室５の方向から嵌合部３６に圧入する点が上記第４の実施の形態と相違している。これ以外の第１の軸受支持部１５および第１のすべり軸受２３の構成は、基本的に第４の実施の形態と同様である。
【００７３】
図１２に示すように、第１の軸受支持部１５の内周面に径方向内側に張り出すストッパ壁８１が形成されている。ストッパ壁８１は、第１の軸受支持部１５の周方向に連続している。ストッパ壁８１は、第１の軸受支持部１５の内側に第１のすべり軸受２３が圧入される嵌合部８２を規定している。嵌合部８２は、リール本体２の内部の歯車室５に開口しており、この嵌合部８２の開口端に係止突起７２が位置している。
【００７４】
第１のすべり軸受２３は、歯車室５の方向から嵌合部８２の開口端に直接圧入される。この際、嵌合部８２の開口端に位置する係止突起７２は、図１２に示すように、嵌合部８２の開口端に、歯車室５に向けて拡開するように傾斜するガイド面８３を形成している。そのため、ガイド面８３の存在により、嵌合部８２に対する第１のすべり軸受２３の圧入作業を容易に行なうことができる。
【００７５】
第１のすべり軸受２３をストッパ壁８１に突き当たるまで嵌合部８２に押し込んだ状態では、第１のすべり軸受２３の凸部３４ａが凹部３９ａの係止面７１に突き当たるとともに、係止突起７２が第１のすべり軸受２３の圧入方向とは反対側から凸部３４ａに引っ掛かっている。
【００７６】
このような構成によると、第１のすべり軸受２３を嵌合部８２から歯車室５に押し出そうとするスラスト力が第１のすべり軸受２３に加わった場合、係止突起７２が第１のすべり軸受２３の圧入方向と反対側から凸部３４ａに引っ掛かり、駆動軸２１の軸方向に沿う第１の軸受支持部１５と第１のすべり軸受２３との相対的な移動を阻止する。
【００７７】
これにより、第１のすべり軸受２３を、駆動軸２１の軸方向への抜け止めがなされた状態で第１の軸受支持部１５に組み込むことができ、上記第１の実施の形態と同様の効果を得ることができる。
【００７８】
図１３および図１４は、本発明の第６の実施の形態を開示している。
【００７９】
この第６の実施の形態では、嵌合部３６の内周面３８に径方向内側に突出する凸部９１が形成されている。凸部９１は、第１の係止部の一例であって、角のない半球状をなしている。
【００８０】
さらに、第１のすべり軸受２３は、その本体３１の外周面３３に凹部９２と係止突起９３とを備えている。凹部９２は、凸部９１が嵌合するものであり、一対の側面９４ａ，９４ｂと、底面９５とを有している。
【００８１】
側面９４ａ，９４ｂは、本体３１の周方向に離間するとともに、第１のすべり軸受２３の軸方向に沿って互いに平行に延びている。側面９４ａ，９４ｂは、凸部９１が凹部９２に嵌合した時に、凸部９１を嵌合部３６の周方向に沿って挟み込んでいる。これにより、第１の軸受支持部１５に対する第１のすべり軸受２３の回り止めがなされている。また、底面９５は、凸部９１の先端に接している。
【００８２】
一方、係止突起９３は、第２の係止部の一例であり、本体３１の外周面３８上において、凹部９２よりも第１のすべり軸受２３の圧入方向とは反対側の端部に位置している。係止突起９３は、第１のすべり軸受２３が終端面３７に突き当たるまで嵌合部３６に押し込まれた時に、嵌合部３６の凸部９１よりも第１の軸受支持部１５の開口端の方向にずれており、第１のすべり軸受２３の圧入方向と反対側から凸部９１に引っ掛かっている。
【００８３】
第６の実施の形態では、第１のすべり軸受２３の本体３１にリング状のスリット９６が形成されている。スリット９６は、本体３１に同軸状に形成されて、第１のすべり軸受２３の圧入方向に沿う後端側に位置する本体３１の端面３１ａに開口している。
【００８４】
スリット９６は、凹部９２よりも本体３１の径方向に沿う内側に位置している。これにより、凹部９２を有する本体３１の外周部分３１ｂが本体３１の端面３１ａから切り離されて、本体３１の径方向に弾性変形が可能となっている。
【００８５】
そのため、第１のすべり軸受２３を嵌合部３６に圧入する時に、凸部９１が凹部９２に入り込むと、凹部９２が凸部９１に押されて本体３１の外周部分３１ｂが本体３１の径方向内側に向けて弾性変形する。この結果、嵌合部３６の凸部９１が凹部９２に嵌まり易くなり、第１のすべり軸受２３の圧入作業が容易となる。
【００８６】
このような構成によると、第１のすべり軸受２３を終端面３７から遠ざかる方向に押し出そうとするスラスト力が第１のすべり軸受２３に加わった場合、係止突起９３が第１のすべり軸受２３の圧入方向と反対側から凸部９１に引っ掛かり、駆動軸２１の軸方向に沿う第１の軸受支持部１５と第１のすべり軸受２３との相対的な移動を阻止する。これにより、第１のすべり軸受２３を、駆動軸２１の軸方向への抜け止めがなされた状態で第１の軸受支持部１５に組み込むことができ、上記第１の実施の形態と同様の効果を得ることができる。
【００８７】
なお、本発明において、第１および第２のすべり軸受の材質は合成樹脂に限らず、金属であってもよい。
【００８８】
さらに、第１および第２の係止部の数は、上記実施の形態に限定されない。しかしながら、第１および第２の係止部の数が多くなると、魚釣用スピニングリールのコストアップに繋がるので、第１および第２の係止部の数は、１〜４個程度が好ましい。
【図面の簡単な説明】
【００８９】
【図１】本発明の第１の実施の形態に係る魚釣用スピニングリールの断面図。
【図２】図１のＦ２の部分を拡大して示す断面図。
【図３】図１のＦ３の部分を拡大して示す断面図。
【図４】本発明の第１の実施の形態において、リール本体の第１の軸受支持部、第１のすべり軸受および駆動軸の位置関係を分解して示す断面図。
【図５】本発明の第１の実施の形態において、リール本体の第２の軸受支持部、第２のすべり軸受およびキャップの位置関係を分解して示す断面図。
【図６】図４のＦ６−Ｆ６線に沿う断面図。
【図７】図４のＦ７−Ｆ７線に沿う断面図。
【図８】図７のＦ８−Ｆ８線に沿う断面図。
【図９】本発明の第２の実施の形態に係る第１のすべり軸受の断面図。
【図１０】本発明の第３の実施の形態において、リール本体の第１の軸受支持部と第１のすべり軸受との位置関係を示す断面図。
【図１１】本発明の第４の実施の形態において、リール本体の第１の軸受支持部と第１のすべり軸受との位置関係を示す断面図。
【図１２】本発明の第５の実施の形態において、リール本体の第１の軸受支持部と第１のすべり軸受との位置関係を示す断面図。
【図１３】本発明の第６の実施の形態において、リール本体の第１の軸受支持部と第１のすべり軸受との位置関係を示す断面図。
【図１４】図１３のＦ１４−Ｆ１４線に沿う断面図。
【符号の説明】
【００９０】
２…リール本体、１５，１７…軸受支持部（第１の軸受支持部、第２の軸受支持部）、２１…回転軸（駆動軸）、２３，２４…すべり軸受（第１のすべり軸受、第２のすべり軸受）、３４ａ，３４ｂ，９１…第１の係止部（凸部）、４１，６１，７２，９３…第２の係止部（ストッパ面、係止突起）。
【図１】
2008011812.tif 000003
【図２】
2008011812.tif 000004
【図３】
2008011812.tif 000005
【図４】
2008011812.tif 000006
【図５】
2008011812.tif 000007
【図６】
2008011812.tif 000008
【図７】
2008011812.tif 000009
【図８】
2008011812.tif 000010
【図９】
2008011812.tif 000011
【図１０】
2008011812.tif 000012
【図１１】
2008011812.tif 000013
【図１２】
2008011812.tif 000014
【図１３】
2008011812.tif 000015
【図１４】
2008011812.tif 000016